(57)【要約】【課題】比較的軟質な壁面に、工具なしで容易に取り付けできる新規な構造の警報器を提供する。【解決手段】装置本体は、固定針１５を取り付けた操作レバー１６が上面に枢設されるとともに、該固定針１５を収納させる凹部２０が背面に設けられており、固定針１５は、操作レバー１６が上面から浮き上がった未使用状態にあるときには、凹部２０に収容されており、操作レバー１６が上面に押し付けられた、使用状態にあるときには、背面から斜め下方に向けて突出させる構造にしている。【選択図】図１
2011048568.tif 000002
【特許請求の範囲】
【請求項１】
装置を壁面に固定するための固定針を有した壁面固定型の警報器において、
装置の本体は、前記固定針を取り付けた操作レバーが上面に枢設されるとともに、該固定針を収納させる凹部が背面に設けられており、
前記固定針は、前記操作レバーが前記上面から浮き上がった未使用状態にあるときには前記凹部に収容されており、前記操作レバーが前記上面に押し付けられた、使用状態にあるときには、前記背面から斜め下方に向けて突出させる構造にしていることを特徴とした警報器。
【請求項２】
請求項１において、
前記上面には、前記操作レバーを規制するストッパーを設けた警報器。
【請求項３】
請求項１または２において、
前記操作レバーに外力が加わっても、前記固定針を前記凹部に収容保持するための安全ロック手段を更に設けている警報器。
【請求項４】
請求項１または２において、
前記固定針を前記凹部に収容保持するために前記操作レバーを付勢する弾性体を更に設けている警報器。
【請求項５】
請求項１〜４のいずれか１項において、
前記固定針は、複数設けられている警報器。
【発明の詳細な説明】
【技術分野】
【０００１】
装置を壁面に固定するための固定針を有した壁面固定型の警報器の改良に関する。
【背景技術】
【０００２】
住宅用火災警報器は、一般に居住者による壁面あるいは天井面への取付け施工を前提としており、従来その作業を容易にするための仕組みが提案されている。
【０００３】
例えば、次の特許文献１では、取付部材（ベース）に釘の挿通孔が予め設けられ、その挿通孔の裏側に回動自在な回動部材を配置して、その回動部材によって固定用の釘を保持するようにした警報器が開示されている。その釘は、装置未使用時には取付部材に対して平行に保持されており、施工時には挿通孔と同方向になるように引き起こしてハンマー等で打ち込むようになっている。
【先行技術文献】
【特許文献】
【０００４】
【特許文献１】特開2008-262395号公報
【発明の概要】
【発明が解決しようとする課題】
【０００５】
しかしながら、上記特許文献１の構成では、装置未使用時（保存時）、釘を取付部材に対して平行に保持しておくことで、嵩張り、けが防止等が図られている。しかしながら、施工時には、壁面が石膏ボード等でできていても、その釘をハンマー等で打ち込む必要があるため、その作業で手指を怪我する虞がある。そこで本発明は、石膏ボード、薄板等でできた比較的軟質な壁面に、工具なしで容易に取り付けできる新規な構造の警報器を提供することを目的とする。
【課題を解決するための手段】
【０００６】
本発明による警報器は、装置を壁面に固定するための固定針を有した壁面固定型の警報器であって、装置の本体は、前記固定針を取り付けた操作レバーが上面に枢設されるとともに、該固定針を収容させる凹部が背面に設けられており、前記固定針は、前記操作レバーが前記上面から浮き上がった未使用状態にあるときには前記凹部に収容されており、前記操作レバーが前記上面に押し付けられた、使用状態にあるときには、前記背面から斜め下方に向けて突出させる構造にしていることを特徴とする。
【０００７】
そして前記上面には、前記操作レバーを規制するストッパーを設けることが望ましい。
【０００８】
また、前記操作レバーに外力が加わっても、前記固定針を前記凹部に収容保持するための安全ロック手段を更に設けることが望ましい。
【０００９】
あるいは、固定針を前記凹部に収容保持するために操作レバーを付勢する弾性体を更に設けてもよい。
【００１０】
また、前記固定針は、複数設けることが望ましい。
【発明の効果】
【００１１】
本発明によれば、固定針は、未使用状態にあるときには本体背面の凹部に収容されているので、嵩張り、怪我等が防止できる。また、施工時には、操作レバーを本体上面に押し付ければ、固定針が本体背面から突出するので、その状態を保ったまま、本体を斜め下方に押せば、壁面に固定できる。その際、操作レバーを押す方向と、本体を押す方向とが基本的に同方向なので、誰でも容易かつ確実に作業でき、工具も不要である。
【００１２】
また、本体の上面に、操作レバーを規制するストッパーを設けた構成では、押圧したときの操作レバーが、ストッパーによって受け止められ、それ以上の押し込みが防止されるで、固定針を正しい方向に突出させることができる。
【００１３】
また、操作レバーに外力が加わっても、固定針を凹部に収容保持するための安全ロック手段を設けた構成では、操作レバーを誤って押してしまっても、固定針が不用意に突出しないので、怪我が防止でき、安全である。
【００１４】
また、固定針を凹部に収容保持するために操作レバーを付勢する弾性体を更に設けた構成では、故意に操作レバーを押し操作しなければ、固定針は、凹部に収容された状態で保持されるので、怪我が防止でき、安全である。また、操作レバーの操作感も向上する。
【００１５】
また、固定針を複数設けた構成では、壁面に固定した後で、警報器が傾かない。
【図面の簡単な説明】
【００１６】
【図１】は実施例の分解斜視図である。
【図２】は実施例の部分破断図である。
【図３】（ａ）は装置未使用時における実施例の斜視図、（ｂ）は装置使用時における実施例の斜視図である。
【図４】（ａ）は装置未使用時における実施例の破断図、（ｂ）は装置使用時における実施例の破断図である。
【図５】は変形例の斜視図である。
【図６】は他の変形例の分解斜視図である。
【図７】（ａ）、（ｂ）は、それぞれ弾性体の作用を説明するための縦切断図である。
【発明を実施するための形態】
【００１７】
図１は、実施例を斜め上方から見た分解斜視図である。この実施例は、壁面固定型の煙式火災警報器１で、本体１０と、操作レバー１６とに分解されている。本体１０の筐体は樹脂によって形成され、長方体の外観を有している。本体１０の正面には、警報音声を放射するための音響孔１１が形成され、また表示灯を兼用した操作ボタン１２が露出している。この正面に連続した上面、両側面、下面の端辺には、本体１０を一周するように、空気流通孔１３が連続的に形成されており、空気流通孔１３で囲まれた内部空間に、空気中の煙濃度を検知する検知部１４、操作ボタン１２、警報音声を出力するスピーカ等が配置されている。
【００１８】
本体１０の上面には、先端を鋭く尖らせた２本の固定針１５を本体１０に収容、あるいは突出させるための操作レバー１６が枢設されている。操作レバー１６の固定針１５が固定された端辺は円柱形状で、この部分に２本の固定針１５が固着され、また、円柱部分の両端から回動軸１６ａが左右に突出している。回動軸１６ａに対応して、本体１０の上面の対応した位置には、軸受１７が形成されている。固定針１５の本数は、２本に限定されないが、複数設けておけば、壁面に固定した後で、装置が傾かないという利点がある。
【００１９】
また、本体１０の上面には、操作レバー１６を規制するストッパー１８を設けている。このようにすれば、上面に押し付けられた操作レバー１６が、ストッパー１８によって受け止められ、それ以上押し込まれることがないので、固定針１５を正しい方向に突出させることができる。
【００２０】
なお、実施例の火災警報器１は、基本的な動作として、検知部１４の作動を休止させて電力消費を抑制する待機モードと、検知部１４を作動させて火災を監視する監視モードとを所定時間毎に繰り返すようになっている。例えば、待機モードは３０秒、監視モードは１秒としてもよい。監視モードでは、検知部１４を所定回数作動させて煙濃度を計測し、測定した煙濃度が所定値を超えた回数等に基づいて、火災を判別する。そして、火災発生と判断した場合は、火災警報を出力開始するとともに、操作ボタン１２（表示灯）を点灯状態にする。この火災警報は、操作ボタン１２によって警報停止操作がなされるまで継続する。また、所定時間毎に電源電池の出力電圧を監視して、所定値を下回っていれば、操作ボタン１２を点滅状態にして、電池交換を促す。
【００２１】
図２は、実施例を上記軸受１７の部分で切断した部分破断図で、この図のように、本体１０の背面には、回動軸挿入口１７ａが開口しており、装置の組立時、その回動軸挿入口１７ａから回動軸１６ａを前方に向けて押し込み、その後、上方に向けて引き上げれば、回動軸１６ａが軸受１７に嵌入される。軸受１７の下部は回動軸１６ａの径よりも細くしているので、組立時には、その部分が弾性変形することで、回動軸１６ａを通過させることができる。
【００２２】
図３（ａ）、図３（ｂ）は、実施例を斜め後方から見た斜視図で、それぞれ、固定針１５を本体１０に収容した装置未使用時（保管時）の状態と、本体１０から固定針１５が斜め下方に突出した装置使用時（施工時）の状態とを示している。
【００２３】
本体１０の背面には、装置未使用時に固定針１５を収納するための凹部２０が形成されている。図３（ａ）の状態では、操作レバー１６は本体１０の上面から浮き上がって突出し、固定針１５は、凹部２０に完全に収納されている。ここで、図３（ｂ）の状態に示しているように、操作レバー１６を本体１０の上面に向けて押し付けると、操作レバー１６は回動軸１６ａを中心として回動し、固定針１５が斜め下方に突出する。なお、操作レバー１６は、例えばバネ等の弾性体によって、未使用時には、浮き上がるように裏側から付勢してもよい。
【００２４】
実施例は、石膏ボート等、画鋲等を容易に突き刺すことが可能な壁面への固定を想定しており、施工では、操作レバー１６を本体１０の上面に押し付けて、図３（ｂ）の状態を保ちつつ、固定針１５が壁面に刺さるように、本体１０にも斜め下方に向けて力を加えれば、固定針１５が壁面に刺さって装置が壁面に固定される。
【００２５】
このように、本発明によれば、固定針１５は、操作レバー１６が上面から浮き上がった未使用状態にあるときには本体１０の背面の凹部２０に収容されているので、嵩張り、怪我等が防止できる。また、施工時には、操作レバー１６を本体１０の上面に押し付ければ、固定針１５が本体１０の背面から斜め下方に向けて突出するので、その状態を保ったまま、本体１０を掴んで、固定針１５が壁面に刺さる方向に押すだけで、壁面に固定できる。その際、操作レバー１６を押す方向と、本体１０を押す方向とが基本的に同方向となるので、誰でも容易かつ確実に作業でき、工具も不要である。
【００２６】
図４（ａ）、図４（ｂ）は、それぞれ図３（ａ）、図３（ｂ）に対応した実施例の部分切断図で、本体１０の側面の一部を切り取って内部構造を示している。
【００２７】
また、変形例として、操作レバー１６に外力が加わっても、固定針１５を凹部２０に収容保持するための安全ロック手段１９を更に設けてもよい。
【００２８】
図５は、そのような変形例を斜め後方から見た斜視図で、安全ロック手段１９として、凹部２０の内側面に爪部が設けられている。２つの爪部の間隙は、固定針１５が引っかかって、そのままでは通過できない幅に設定されている。そのため、操作レバー１６に弱い力が加わっても、固定針１５は凹部２０に収容されたままである。しかし、操作レバー１６が所定よりも強い力で押圧されると、固定針１５は内側に弾性変形して爪部を通過する。このようにすれば、操作レバー１６を誤って押してしまっても、固定針１５が不用意に突出しないので、怪我が防止でき、安全である。なお、安全ロック手段１９は、この構成のみに限定されず、例えば、操作レバー１６を本体１０の上面から突出した状態で規制するような構成としてもよい。また、安全ロック手段１９は、所定の解除操作がなされるまで、固定針１５を収容保持したままになる構成としてもよい。
【００２９】
また、他の変形例として、固定針１５を凹部２０に収容保持するために操作レバー１６を付勢する弾性体２１を更に設けてもよい。
【００３０】
図６は、そのような変形例の分解斜視図、図７（ａ）、図７（ｂ）は、弾性体２１の作用を説明するための縦切断図である。上記実施例と共通の構成要素には同一の参照符号を付けて説明を省略する。この例では、その弾性体２１として金属バネを用いている。金属バネは、中間に保持部２１ａが形成され、この保持部２１ａの両側にリング状の巻線部２１ｂが形成され、更に、巻線部２１ｂの両端は作用部２１ｃになっている。巻線部２１ｂは、左右の回動軸１６ａの間に嵌入され、保持部２１ａは、本体１０に形成された弾性体係止溝２２によって係止される。このとき弾性体２１の作用部２１ｃは、操作レバー１６の裏面に当接して、操作レバー１６が未使用状態となるように付勢することになる。従って、操作レバー１６を押し操作していない未使用状態では、図７（ａ）のように、固定針１５は本体１０の凹部２０に収容された位置に保持され、操作レバー１６を押し操作すれば、操作レバー１６の回動に従って弾性体２１の巻線部２１ｂが弾性変形して、固定針１５が凹部２０から突出する。このように、操作レバー１６を押し操作しない限り、固定針１５は、凹部２０に収容された状態で保持されるので、怪我が防止でき、安全である。また、操作レバー１６は、押し操作に対して反発力を有するので、操作感も向上する。
【符号の説明】
【００３１】
１    火災警報器
１５  固定針
１６  操作レバー
１８  ストッパー
１９  安全ロック手段
２０  凹部
２１  弾性体
【図１】
2011048568.tif 000003
【図２】
2011048568.tif 000004
【図３】
2011048568.tif 000005
【図４】
2011048568.tif 000006
【図５】
2011048568.tif 000007
【図６】
2011048568.tif 000008
【図７】
2011048568.tif 000009